【手続補正書】
【提出日】平成19年6月20日(2007.6.20)
【手続補正１】
【補正対象書類名】明細書
【補正対象項目名】特許請求の範囲
【補正方法】変更
【補正の内容】
【特許請求の範囲】
【請求項１】  治療方法において使用するための組成物であって、該組成物は、ヌクレオチドおよびヌクレオチドアナログ、ＵＣＰ結合ペプチドまたは分子、抗ＵＣＰ抗体、疎水性ヌクレオチドアナログ、ならびに非−ω−３脂肪酸からなる群より選択される形質膜標的化ＵＣＰインヒビターを含み、該ヌクレオチドおよびヌクレオチドアナログ、ＵＣＰ結合ペプチドまたはＵＣＰ結合分子、抗ＵＣＰ抗体、疎水性ヌクレオチドアナログ、ならびに非−ω−３脂肪酸は全て該膜に標的化され、該治療方法は、
（ａ）細胞における形質膜ＵＣＰ発現を阻害すること、および
（ｂ）癌の処置、
からなり、
ここで、該組成物は、薬学的に受容可能なキャリアまたは賦形剤を必要に応じて含む、組成物。
【請求項２】  前記ヌクレオチドアナログがプリンアナログまたはピリミジンアナログである、請求項１に記載の組成物。
【請求項３】  コロイド分散系をさらに含む請求項１に記載の組成物であって、前記形質膜ＵＣＰインヒビターが、該コロイド分散系に組み込まれる、組成物。
【請求項４】  前記コロイド分散系がリポソームである、請求項３に記載の組成物。
【請求項５】  前記形質膜ＵＣＰインヒビターが疎水性部分または膜付着ドメインを含む、請求項１に記載の組成物。
【請求項６】  前記形質膜ＵＣＰインヒビターが、疎水性部分に結合されるヌクレオチドアナログである、請求項５に記載の組成物。
【請求項７】  前記形質膜ＵＣＰインヒビターが、ヌクレオチドまたはヌクレオチドアナログに結合される膜付着ドメインである、請求項５に記載の組成物。
【請求項８】  抗腫瘍治療剤をさらに含む、請求項１に記載の組成物。
【請求項９】  リソソーム標的化分子と関連するＵＣＰインヒビターを含む組成物であって、該ＵＣＰインヒビターは、ヌクレオチドおよびヌクレオチドアナログ、ＵＣＰ結合ペプチドまたは分子、抗ＵＣＰ抗体および非−ω−３脂肪酸からなる群より選択される、組成物。
【請求項１０】  前記ＵＣＰインヒビターが、抗細胞表面分子抗体に結合された抗ＵＣＰ抗体である、請求項９に記載の組成物。
【請求項１１】  形質膜標的化分子と関連するＵＣＰインヒビターを含む組成物であって、該ＵＣＰインヒビターは、ヌクレオチドおよびヌクレオチドアナログ、ＵＣＰ結合ペプチドまたは分子、抗ＵＣＰ抗体および非−ω−３脂肪酸からなる群より選択される、組成物。
【請求項１２】  コロイド分散系をさらに含む請求項９または１１に記載の組成物であって、前記ＵＣＰインヒビターおよび前記形質膜標的化分子または前記リソソーム標的化分子が、該コロイド分散系に組み込まれる、組成物。
【請求項１３】  前記コロイド分散系がリポソームである、請求項１２に記載の組成物。
【請求項１４】  治療方法における使用のための機能的形質膜結合ＵＣＰまたはＵＣＰフラグメントを含む組成物であって、該治療方法は、
（ａ）耐性腫瘍細胞を、細胞毒性療法に対して感作すること、または
（ｂ）増殖停止細胞において細胞分裂を誘導すること、
からなり、ここで該組成物は、必要に応じて、薬学的に受容可能なキャリアまたは賦形剤をさらに含む、組成物。
【請求項１５】  化学療法剤による治療に対する感受性に関して、被験体の腫瘍細胞をスクリーニングするキットであって、該キットは以下：
形質膜ＵＣＰ分子検出試薬を含む容器；および
該腫瘍細胞の形質膜のＵＣＰ分子の存在を検出するための、該形質膜ＵＣＰ分子検出試薬の使用説明であって、ここで、形質膜ＵＣＰ分子の存在が、該細胞が化学療法剤による治療に感受性であることを示す、使用説明を備える、キット。
【請求項１６】  （ａ）化学療法剤を収容する容器、および（ｂ）別個の区画に収容された、化学療法剤のパネル、をさらに備える、請求項１５に記載のキット。
【請求項１７】  前記形質膜ＵＣＰ分子検出試薬が固相表面に付着される、請求項１５に記載のキット。
【請求項１８】  リソソームｐＨをインビトロで調節する方法であって、該方法が、細胞中のリソソームＵＣＰ活性を改変して、リソソームｐＨを調節する工程を包含する方法。
【請求項１９】  感染性疾患の治療または予防において使用するための、感染性疾患の治療または予防のための組成物であって、該組成物は、リソソーム膜標的化ＵＣＰインヒビターを含み、該リソソーム膜標的化ＵＣＰインヒビターは、ヌクレオチドおよびヌクレオチドアナログ、ＵＣＰ結合ペプチドまたは分子、抗ＵＣＰ抗体ならびに非−ω−３脂肪酸からなる群より選択され、該ヌクレオチドおよびヌクレオチドアナログ、ＵＣＰ結合ペプチドまたは分子、抗ＵＣＰ抗体ならびに非−ω−３脂肪酸は全て、該膜に対して標的化されており、ここで該組成物は、必要に応じて、薬学的に受容可能なキャリアまたは賦形剤をさらに含む、組成物。
【請求項２０】  医薬としての使用のための、形質膜標的化ＵＣＰインヒビターであって、該形質膜標的化ＵＣＰインヒビターは、ヌクレオチドおよびヌクレオチドアナログ、ＵＣＰ結合ペプチドまたは分子、抗ＵＣＰ抗体ならびに非−ω−３脂肪酸からなる群より選択され、該ヌクレオチドおよびヌクレオチドアナログ、ＵＣＰ結合ペプチドまたは分子、抗ＵＣＰ抗体ならびに非−ω−３脂肪酸は全て、該膜に対して標的化されている、形質膜標的化ＵＣＰインヒビター。
【請求項２１】  医薬としての使用のための、リソソーム膜標的化ＵＣＰインヒビターであって、該リソソーム膜標的化ＵＣＰインヒビターは、ヌクレオチドおよびヌクレオチドアナログ、ＵＣＰ結合ペプチドまたは分子、抗ＵＣＰ抗体ならびに非−ω−３脂肪酸からなる群より選択され、該ヌクレオチドおよびヌクレオチドアナログ、ＵＣＰ結合ペプチドまたは分子、抗ＵＣＰ抗体ならびに非−ω−３脂肪酸は全て、該膜に対して標的化されている、リソソーム膜標的化ＵＣＰインヒビター。
【請求項２２】  癌、アテローム硬化症、ＩＩ型糖尿病、慢性関節リウマチ、または強皮症の処置のための医薬の製造のための、形質膜標的化ＵＣＰインヒビターの使用であって、該形質膜標的化ＵＣＰインヒビターは、ヌクレオチドおよびヌクレオチドアナログ、ＵＣＰ結合ペプチドまたは分子、抗ＵＣＰ抗体ならびに非−ω−３脂肪酸からなる群より選択され、該ヌクレオチドおよびヌクレオチドアナログ、ＵＣＰ結合ペプチドまたは分子、抗ＵＣＰ抗体ならびに非−ω−３脂肪酸は全て、該膜に対して標的化されており、ここで、該処置は、細胞と該形質膜標的化ＵＣＰインヒビターとを接触させる工程を包含する、使用。
【請求項２３】  細胞毒性抗腫瘍治療剤の使用をさらに含む、請求項２２に記載の使用。
【請求項２４】  前記細胞毒性抗腫瘍治療剤が放射線である、請求項２３に記載の使用。
【請求項２５】  細胞におけるリソソームＵＣＰ活性を改変してリソソームｐＨを調節することによる癌の処置における使用のための医薬の製造のための、リソソーム膜標的化ＵＣＰインヒビターの使用であって、該リソソーム膜標的化ＵＣＰインヒビターは、ヌクレオチドおよびヌクレオチドアナログ、ＵＣＰ結合ペプチドまたは分子、抗ＵＣＰ抗体ならびに非−ω−３脂肪酸からなる群より選択され、該ヌクレオチドおよびヌクレオチドアナログ、ＵＣＰ結合ペプチドまたは分子、抗ＵＣＰ抗体ならびに非−ω−３脂肪酸は全て、該膜に対して標的化されている、使用。
【請求項２６】  細胞におけるリソソームＵＣＰ活性を改変してリソソームｐＨを調節することによる炎症性疾患の処置における使用のための医薬の製造のための、リソソーム膜標的化ＵＣＰ活性化剤の使用であって、該リソソーム膜標的化ＵＣＰ活性化剤は、機能的ＵＣＰ、ＵＣＰフラグメント、グルコース、グルコースの構造的アナログ、ヌクレオチドおよびヌクレオチドアナログのインヒビター、ならびにω−３脂肪酸からなる群より選択され、該機能的ＵＣＰ、ＵＣＰフラグメント、グルコース、グルコースの構造的アナログ、ヌクレオチドおよびヌクレオチドアナログのインヒビター、ならびにω−３脂肪酸は全て、該膜に対して標的化されている、使用。
【請求項２７】  感染性疾患の処置または予防における使用のための医薬の製造のための、治療有効量のリソソーム膜標的化ＵＣＰインヒビターの使用であって、該リソソーム膜標的化ＵＣＰインヒビターは、ヌクレオチドおよびヌクレオチドアナログ、ＵＣＰ結合ペプチドまたは分子、抗ＵＣＰ抗体ならびに非−ω−３脂肪酸からなる群より選択され、該ヌクレオチドおよびヌクレオチドアナログ、ＵＣＰ結合ペプチドまたは分子、抗ＵＣＰ抗体ならびに非−ω−３脂肪酸は全て、該膜に対して標的化されている、使用。
【請求項２８】  抗原の使用をさらに含む、請求項２７に記載の使用。
【請求項２９】  前記抗原は、ウイルス抗原、細菌抗原、寄生生物抗原、および真菌抗原からなる群より選択される、請求項２８に記載の使用。
【請求項３０】  被験体が細胞内病原体に感染している、請求項２７に記載の使用。
【請求項３１】  前記細胞内病原体は、細胞内細菌または細胞内寄生生物である、請求項３０に記載の使用。
【請求項３２】  自己免疫疾患の処置のための医薬の製造のための、治療有効量のリソソーム膜標的化ＵＣＰ活性化剤の使用であって、該リソソーム膜標的化ＵＣＰ活性化剤は、機能的ＵＣＰ、ＵＣＰフラグメント、グルコース、グルコースの構造的アナログ、ヌクレオチドおよびヌクレオチドアナログのインヒビター、ならびにω−３脂肪酸からなる群より選択される、使用。
【請求項３３】  前記ＵＣＰ活性化剤は、リソソーム標的化分子を有する機能的ＵＣＰまたはＵＣＰフラグメントである、請求項３２に記載の使用。